(57)【要約】【課題】収穫機において、脱穀装置の機体外側部分の下部と横カバーの下部との間を下側から覆う下カバーを備えた場合、下カバーの着脱が容易に行えるようにする。【解決手段】脱穀装置の機体外側部分の下部と横カバーの下部との間を下側から覆う下カバー２７を備える。取付位置と機体横外側に離れた取外位置Ａ２とに亘って、下カバー２７を機体左右方向に案内するガイド機構３５を備え、下カバー２７を取付位置で保持する保持機構を備える。【選択図】図６
2018082650.tif 000002
【特許請求の範囲】
【請求項１】
機体に支持された脱穀装置の機体外側部分を横外側から覆う横カバーと、
前記脱穀装置の機体外側部分の下部と前記横カバーの下部との間を下側から覆う下カバーと、
前記脱穀装置の機体外側部分の下部と前記横カバーの下部との間を下側から覆う取付位置と、前記取付位置から機体横外側に離れた取外位置とに亘って、前記下カバーを機体左右方向に案内するガイド機構と、
前記下カバーを前記取付位置で保持する保持機構と、が備えられている収穫機。
【請求項２】
前記ガイド機構に、
前記脱穀装置の機体外側部分の下部に位置する機体フレーム及び前記下カバーのうちの一方に設けられ、機体左右方向に沿って延びるボス部材と、
前記機体フレーム及び前記下カバーのうちの他方に設けられ、機体左右方向に沿って延びる軸部材と、が備えられ、
前記ボス部材に前記軸部材が挿入されて前記軸部材と前記ボス部材とがスライドすることにより、前記下カバーが前記取付位置と前記取外位置とに亘って案内される請求項１に記載の収穫機。
【請求項３】
前記ボス部材が前記下カバーに設けられ、且つ、前記軸部材が前記機体フレームに設けられ、
前記下カバーのうち前記ボス部材の端部に対応する箇所に、前記軸部材が貫通可能な開口部が形成され、
前記下カバーが前記取付位置に位置した状態において前記軸部材の端部が前記開口部から機体横外側に突出するように、前記軸部材が前記ボス部材よりも長く設定され、
前記保持機構が、前記開口部の外径よりも大きな部材であり、前記下カバーが前記取付位置に位置した状態において前記軸部材の突出端部に取り付けられることにより、前記ボス部材の前記軸部材からの抜け止めをする抜け止め部材である請求項２に記載の収穫機。
【請求項４】
前記脱穀装置における前記取付位置よりも機体左右中央側の部分に、脱穀及び選別処理された処理物を回収する回収部が備えられ、
前記回収部の下部に、点検口と、前記点検口を開閉自在な蓋部と、前記蓋部を閉位置で固定する固定具とが備えられている請求項１〜３のうちのいずれか一項に記載の収穫機。
【発明の詳細な説明】
【技術分野】
【０００１】
本発明は、稲を収穫するコンバインや、さとうきび収穫機、とうもろこし収穫機、飼料収穫機等の収穫機において、脱穀装置のカバーの構造に関する。
【背景技術】
【０００２】
収穫機の一例であるコンバインでは、脱穀装置に動力を伝達する伝動ベルトやプーリーが、脱穀装置の機体外側部分に備えられることが多いので、特許文献１に開示されているように、脱穀装置の機体外側部分を横外側から覆う横カバーを備えたものがある。
【先行技術文献】
【特許文献】
【０００３】
【特許文献１】特開２０１３−６３０２２号公報
【発明の概要】
【発明が解決しようとする課題】
【０００４】
特許文献１のように、脱穀装置の機体外側部分を横外側から覆う横カバーを備えた場合に、脱穀装置の機体外側部分の下部と横カバーの下部との間を下側から覆う下カバーを備えることがある。
本発明は、収穫機において前述のような下カバーを備えた場合、下カバーの着脱が容易に行えるようにすることを目的としている。
【課題を解決するための手段】
【０００５】
本発明の特徴は、収穫機において以下のように構成することにある。
機体に支持された脱穀装置の機体外側部分を横外側から覆う横カバーと、
前記脱穀装置の機体外側部分の下部と前記横カバーの下部との間を下側から覆う下カバーと、
前記脱穀装置の機体外側部分の下部と前記横カバーの下部との間を下側から覆う取付位置と、前記取付位置から機体横外側に離れた取外位置とに亘って、前記下カバーを機体左右方向に案内するガイド機構と、
前記下カバーを前記取付位置で保持する保持機構と、が備えられている。
【０００６】
下カバーを着脱する場合、作業者は、脱穀装置の機体外側に位置して、下カバーの着脱を行うことになる。
本発明によると、作業者は保持機構を解除状態に操作した後、下カバーを取付位置から取外位置に機体左右方向に移動させることにより、下カバーを取り外すことができる。同様に、下カバーを取外位置から取外位置に機体左右方向に移動させ、保持機構を保持状態に操作することにより、下カバーを取り付けることができる。
【０００７】
この場合、本発明によると、ガイド機構により、取付位置の上側に位置する脱穀装置の機体外側部分の部材（伝動ベルトやプーリー等）や、取付位置の下側に位置する走行装置等との干渉を避けながら、下カバーを取付位置から取外位置、並びに、取外位置から取付位置に無理なく移動させることができるので、下カバーの着脱が容易に行えるようになって、作業性の向上を図ることができる。
【０００８】
本発明において、
前記ガイド機構に、
前記脱穀装置の機体外側部分の下部に位置する機体フレーム及び前記下カバーのうちの一方に設けられ、機体左右方向に沿って延びるボス部材と、
前記機体フレーム及び前記下カバーのうちの他方に設けられ、機体左右方向に沿って延びる軸部材と、が備えられ、
前記ボス部材に前記軸部材が挿入されて前記軸部材と前記ボス部材とがスライドすることにより、前記下カバーが前記取付位置と前記取外位置とに亘って案内されると好適である。
【０００９】
前述のガイド機構を備える場合、本発明によると、ボス部材に軸部材が挿入されて、軸部材とボス部材とがスライドするという簡素な構造により、ガイド機構を得ることができるようになって、構造の簡素化の面で有利なものとなる。
【００１０】
本発明によると、ボス部材に軸部材が挿入された状態において、下カバーは、機体左右方向に移動可能であるが、ボス部材及び軸部材の軸芯方向と交差する機体上下方向や機体前後方向には移動できない。これにより、下カバーが、取付位置と取外位置とに亘って機体左右方向から外れることなく安定して案内されるようになる。
【００１１】
本発明において、
前記ボス部材が前記下カバーに設けられ、且つ、前記軸部材が前記機体フレームに設けられ、
前記下カバーのうち前記ボス部材の端部に対応する箇所に、前記軸部材が貫通可能な開口部が形成され、
前記下カバーが前記取付位置に位置した状態において前記軸部材の端部が前記開口部から機体横外側に突出するように、前記軸部材が前記ボス部材よりも長く設定され、
前記保持機構が、前記開口部の外径よりも大きな部材であり、前記下カバーが前記取付位置に位置した状態において前記軸部材の突出端部に取り付けられることにより、前記ボス部材の前記軸部材からの抜け止めをする抜け止め部材であると好適である。
【００１２】
ボス部材及び軸部材を備えたガイド機構に対して、前述の保持機構を備える場合、本発明によると、下カバーが取付位置に位置した状態において軸部材の突出端部に抜け止め部材を取り付けることにより、下カバーを取付位置で保持することができる。抜け止め部材を取り外すことにより、下カバーを取付位置から取外位置に移動させて取り外すことができる。
これにより、本発明によると、抜け止め部材という簡素な部材により、保持機構を得ることができるようになって、構造の簡素化の面で有利なものとなる。
【００１３】
本発明によると、下カバーが取付位置に位置した状態において、開口部から機体横外側に突出する軸部材の突出端部が、下カバーの機体外側部分に位置するので、他の部材等の干渉を受けることなく、抜け止め部材の着脱を容易に行うことができるようになって、作業性の向上を図ることができる。
【００１４】
本発明において、
前記脱穀装置における前記取付位置よりも機体左右中央側の部分に、脱穀及び選別処理された処理物を回収する回収部が備えられ、
前記回収部の下部に、点検口と、前記点検口を開閉自在な蓋部と、前記蓋部を閉位置で固定する固定具とが備えられていると好適である。
【００１５】
コンバイン等の収穫機では、脱穀及び選別処理された処理物を回収する回収部が脱穀装置に備えられているので、本発明のような下カバーを備えると、脱穀装置における下カバーの取付位置よりも機体左右中央側の部分に、回収部が位置することがある。
【００１６】
前述の状態において本発明によると、下カバーを取り外すことにより、作業者は回収部に容易に手を伸ばすことができる。これにより、回収部の下部において、固定具を解除操作して蓋部を開位置に操作することにより、点検口から回収部の内部のメンテナンス作業を、下カバーの干渉を受けることなく行うことができる。
【図面の簡単な説明】
【００１７】
【図１】コンバインの左側面図である。
【図２】コンバインの平面図である。
【図３】脱穀装置の左側部分の付近の側面図である。
【図４】脱穀装置の左側部分の下部の付近及び横カバーの斜視図である。
【図５】中間の下カバーの斜視図である。
【図６】取外位置の下カバー及び機体フレームの縦断正面図である。
【図７】取付位置の下カバー及び機体フレームの縦断正面図である。
【図８】脱穀装置の１番物回収部の付近の縦断正面図である。
【図９】コンバインの底面図である。
【図１０】コンバインの背面図である。
【図１１】発明の実施の第１別形態において、脱穀装置の左側部分の下部の付近の斜視図である。
【発明を実施するための形態】
【００１８】
本発明の実施形態における前後方向及び左右方向は、特段の説明がない限り、以下のように記載している。機体の作業走行時における前進側の進行方向が「前」であり、後進側の進行方向が「後」である。前後方向での前向き姿勢を基準として右側に相当する方向が「右」であり、左側に相当する方向が「左」である。
【００１９】
（コンバインの全体構成）
図１及び図２に、収穫機の一例である稲麦用の普通型のコンバインが示されており、右及び左のクローラ型式の走行装置２により機体１が支持されている。機体１の前部に、フィーダ３を介して刈取部４が支持され、機体１の前部の右部に、キャビンで覆われた運転部５が支持されている。機体１の左部に脱穀装置６が支持されており、機体１の右部にグレンタンク７及び穀粒排出装置８が支持されている。
【００２０】
以上の構造により図１及び図２に示すように、圃場の穀稈が刈取部４によって刈り取られて、刈り取られた穀稈がフィーダ３を介して脱穀装置６に投入され、穀稈が脱穀装置６により脱穀及び選別処理される。脱穀装置６の下部の１番物回収部１７及び２番物回収部１８（図３及び図４参照）により穀粒（処理物に相当）が回収され、回収された穀粒がグレンタンク７に供給される。
【００２１】
図１及び図２に示すように、脱穀装置６の後部の下部に排ワラ細断装置２０が連結されており、脱穀装置６から排出された排ワラが、排ワラ細断装置２０により細断されて圃場に放出される。グレンタンク７が満杯になると、穀粒排出装置８によってグレンタンク７の穀粒を外部の運搬車等に排出する。
【００２２】
（脱穀装置の機体外側部分を横外側から覆う横カバーの概要）
図１，２，３に示すように、脱穀装置６の左側部分（機体外側部分に相当）を横外側から覆う６個の横カバー９，１０，１１，１２，１３，１４が備えられている。
【００２３】
図１，２，３に示すように、横カバー９は、フィーダ３の基部や、脱穀装置６の前部の上部等の左側部分を覆っている。横カバー１０は、脱穀装置６の上部において、扱胴１５を収容する扱室（図示せず）の左側部分を覆っている。
【００２４】
図３及び図４に示すように、脱穀装置６の下部の左側部分に、主唐箕１６を駆動するプーリー１６ａ、１番物回収部１７を駆動するプーリー１７ａ、２番物回収部１８を駆動するプーリー１８ａ、副唐箕（図示せず）を駆動するプーリー１９、選別部（図示せず）を駆動するプーリー４８が備えられている。排ワラ細断装置２０の左側部分に、排ワラ細断装置２０を駆動するプーリー２０ａが備えられている。エンジン（図示せず）の動力が、プーリー４９から伝動ベルト５０により、プーリー１６ａ，１７ａ，１８ａ，１９，２０ａ，４８に伝達される。
【００２５】
図３に示すように、横カバー１１は、脱穀装置６の下部において、主唐箕１６のプーリー１６ａ及び１番物回収部１７のプーリー１７ａの付近を覆っている。
横カバー１２は、脱穀装置６の下部において、１番物回収部１７のプーリー１７ａ、２番物回収部１８のプーリー１８ａ、副唐箕のプーリー１９及び選別部のプーリー４８の付近を覆っている。
横カバー１３は、排ワラ細断装置２０の上部付近を覆っている。横カバー１４は、排ワラ細断装置２０のプーリー２０ａの付近を覆っている。
【００２６】
（横カバーの姿勢変更及び着脱）
図１及び図３に示すように、横カバー１０は、上部の機体前後方向の横軸芯周りに上下揺動自在に支持されており、脱穀装置６の扱室の左側部分を覆う下向きの作業姿勢と、上側に持ち上げた横向きの開放姿勢とに姿勢変更自在である。横カバー１０の下部にロック部１０ａが備えられており、横カバー１０のロック部１０ａにより、横カバー１０を作業姿勢で保持することができる。
【００２７】
図１，３，４に示すように、横カバー１１，１２の内側面の上部に、ロック部１１ａ，１２ａが備えられ、横カバー１１，１２の内側面の下部に、係合部１１ｂ，１２ｂが連結されている。
【００２８】
図３及び図４に示すように、脱穀装置６の左側部分の下部に、脱穀装置６の前端部から排ワラ細断装置２０に亘って、機体前後方向の機体フレーム２１が配置されている。平面視でＵ字状の係止部２２，２３が機体フレーム２１に連結されており、平面視でＵ字状の係止部２４，２５が脱穀装置６の左側部分に連結されている。
【００２９】
以上の構造により図１，３，４に示すように、横カバー１１，１２を取り付ける場合、横カバー１１，１２の係合部１１ｂ，１２ｂを、係止部２２，２３に上側から係合させ、横カバー１１，１２のロック部１１ａ，１２ａを、係止部２４，２５に係合させてロックする。横カバー１１，１２を取り外す場合、横カバー１１，１２のロック部１１ａ，１２ａを解除操作して、横カバー１１，１２のロック部１１ａ，１２ａ及び係合部１１ｂ，１２ｂを、係止部２２〜２５から取り外す。
【００３０】
横カバー９，１３，１４においても同様に、ロック部９ａ，１３ａ，１４ａ及び係合部（図示せず）が備えられており、機体１及び脱穀装置６等に、横カバー９，１３，１４に対応する係止部（図示せず）が備えられている。これにより、横カバー１１，１２と同様な操作を行うことによって、横カバー９，１３，１４の着脱を行うことができる。
【００３１】
（脱穀装置の機体外側部分の下部と横カバーの下部との間を下側から覆う前側及び後側の下カバーの構造）
図３及び図４に示すように、脱穀装置６の左側部分の下部と横カバー１１，１２の下部との間を下側から覆うように、前側の下カバー２６、中間の下カバー２７、後側の下カバー２８が配置されている。
【００３２】
図３及び図４に示すように、前側の下カバー２６は、機体前後方向に沿った長孔状の多数の開口部２６ａが備えられた平板である。前側の下カバー２６は、主唐箕１６のプーリー１６ａの下側に配置されて、係止部２２の下側に位置するように、機体フレーム２１の機体外側部分である左面部２１ｂ（図６参照）の下部に水平に連結されている。
【００３３】
図３及び図４に示すように、後側の下カバー２８は、機体前後方向に沿った長孔状の多数の開口部２８ａが備えられた平板である。後側の下カバー２８は、選別部のプーリー４８の下側に配置されて、係止部２３の下側に位置するように、機体フレーム２１の左面部２１ｂ（図６参照）の下部に水平に連結されている。
前側及び後側の下カバー２６，２８に多数の開口部２６ａ，２８ａが備えられているのは、ワラ屑等が前側及び後側の下カバー２６，２８に堆積しないようにする為である。
【００３４】
（脱穀装置の機体外側部分の下部と横カバーの下部との間を下側から覆う中間の下カバーの構造）
図３及び図４に示すように、中間の下カバー２７は、脱穀装置６の左側部分において、１番物回収部１７のプーリー１７ａ、２番物回収部１８のプーリー１８ａ及び副唐箕のプーリー１９の下側に配置されており、中間の下カバー２７は機体フレーム２１に着脱自在である。
【００３５】
図５及び図６に示すように、中間の下カバー２７に、底部２９、横壁部３０、前壁部３１及び後壁部３２が備えられている。横壁部３０は底部２９の左側部分（機体外側部分）に備えられており、底部２９の右側部分（機体内側部分）に横壁部は備えられていない。
【００３６】
図５及び図６に示すように、底部２９に機体前後方向に沿った長孔状の多数の開口部２９ａが備えられている。中間の下カバー２７において、底部２９に多数の開口部２９ａが備えられているのは、ワラ屑等が中間の下カバー２７に堆積しないようにする為である。
【００３７】
図５及び図６に示すように、機体左右方向に沿って延びる２個のボス部材３３が、横壁部３０に連結されており、横壁部３０においてボス部材３３の端部に対応する箇所に開口部３０ａが形成されている。横壁部３０の２箇所に、上向きに開放された切り欠き部３０ｂが形成されている。
【００３８】
（中間の下カバーの着脱構造）
図６に示すように、機体左右方向に沿って延びる２本の軸部材３４が、機体フレーム２１の左面部２１ｂに連結されている。軸部材３４の長さＬ１が、ボス部材３３の長さＬ２（ボス部材３３に横壁部３０の板厚を加えた長さ）よりも長いものに設定されており、軸部材３４の端部に、上下向きの取付孔３４ａが形成されている。
【００３９】
図６及び図７に示すように、中間の下カバー２７を取り付ける場合、横カバー１１，１２を取り外した状態において、機体フレーム２１から機体横外側に離れた取外位置Ａ２に中間の下カバー２７を位置させ、中間の下カバー２７を機体左右方向に沿って機体フレーム２１側に移動させて、軸部材３４をボス部材３３に挿入させる。
中間の下カバー２７を機体フレーム２１側に移動させると、軸部材３４とボス部材３３とがスライドすることにより、中間の下カバー２７が機体左右方向に案内される。
【００４０】
図７に示すように、ボス部材３３が機体フレーム２１の左面部２１ｂに当たるまで中間の下カバー２７を移動させると、前壁部３１及び後壁部３２も機体フレーム２１の左面部２１ｂに当たり、底部２９が機体フレーム２１の下面部２１ａよりも下側に位置する。この状態において、脱穀装置６の左側部分の下部と横カバー１１，１２の下部との間を下側から覆う取付位置Ａ１に、中間の下カバー２７が位置する状態となる。
【００４１】
図３及び図４に示すように、１番物回収部１７のプーリー１７ａが大径であり、脱穀装置６の低い位置に配置されている。前述のように、中間の下カバー２７が取付位置Ａ１に位置する状態で、底部２９が機体フレーム２１の下面部２１ａよりも下側に位置するようにして、１番物回収部１７のプーリー１７ａが底部２９に接触する状態を避けている。
【００４２】
前述のように、軸部材３４の長さＬ１が、ボス部材３３の長さＬ２よりも長いものに設定されていることにより、図７に示すように、中間の下カバー２７を取付位置Ａ１に位置させると、軸部材３４の端部及び取付孔３４ａが横壁部３０の開口部３０ａから機体横外側に突出する状態となる。
【００４３】
図７に示すように、中間の下カバー２７を取付位置Ａ１に位置させた状態において、抜け止め部材３６（保持機構に相当）を軸部材３４の取付孔３４ａに挿入して取り付ける。抜け止め部材３６は、横壁部３０の開口部３０ａの外径よりも大きなベータピン形状となっている。
これにより、抜け止め部材３６によって、ボス部材３３の軸部材３４からの抜け止めが行われるのであり、中間の下カバー２７が取付位置Ａ１に保持される。
【００４４】
図６及び図７に示すように、機体フレーム２１と中間の下カバー２７とに亘って、中間の下カバー２７を取付位置Ａ１と取外位置Ａ２とに亘って機体左右方向に案内するガイド機構３５が備えられており、ガイド機構３５に、ボス部材３３と軸部材３４とが備えられている。
【００４５】
図３及び図４に示すように、中間の下カバー２７が取付位置Ａ１に位置した状態において、底部２９の上側に係止部２２，２３が位置する状態となり、横壁部３０の切り欠き部３０ｂが係止部２２，２３に接近して位置する状態となる。
【００４６】
これによって、図３及び図４に示すように、横カバー１１，１２の係合部１１ｂ，１２ｂを、横壁部３０の切り欠き部３０ｂに入り込ませながら、係止部２２，２３に上側から係合させ、横カバー１１，１２のロック部１１ａ，１２ａを係止部２４，２５に係合させて、横カバー１１，１２を取り付ける。
【００４７】
前述のように、横カバー１１，１２を取り付けると、図３及び図４に示すように、軸部材３４の取付孔３４ａ及び抜け止め部材３６が、横カバー１１，１２によって覆われた状態となる。これにより、走行中に圃場の作物が抜け止め部材３６に掛かる状態が防止されて、抜け止め部材３６が軸部材３４の取付孔３４ａから抜けて外れてしまうという状態が防止される。
【００４８】
中間の下カバー２７を取り外す場合、図３及び図４に示す横カバー１１，１２を取り外して、図７に示す抜け止め部材３６を軸部材３４の取付孔３４ａから抜く。次に図７から図６に示すように、中間の下カバー２７を取付位置Ａ１から機体横外側に移動させると、軸部材３４とボス部材３３とがスライドすることにより、中間の下カバー２７が機体左右方向に案内される。
【００４９】
図６に示すように、ボス部材３３が軸部材３４から抜ける位置まで中間の下カバー２７を移動させると、中間の下カバー２７が取付位置Ａ１から機体横外側に離れた取外位置Ａ２に達するのであり、これによって中間の下カバー２７を取り外すことができる。
【００５０】
（中間の下カバーと１番物回収部との関係）
図８に示すように、脱穀装置６において、中間の下カバー２７の取付位置Ａ１よりも機体左右中央側の部分に、脱穀及び選別処理された処理物を回収する１番物回収部１７（回収部に相当）が位置している。
【００５１】
図８に示すように、１番物回収部１７の下部に、掃除用及びメンテナンス作業用の点検口３７が脱穀装置６の左側部分から機体内側に向って備えられており、点検口３７を開閉自在な蓋部３８、蓋部３８を閉位置で固定するバックル部材３９（固定具に相当）が備えられている。
【００５２】
図８に示すように、中間の下カバー２７を取付位置Ａ１から取り外すことによって、機体フレーム２１と走行装置２との間に比較的大きな間隔が生じる。
これにより、作業者は、機体フレーム２１と走行装置２との間から手を入れて、バックル部材３９を解除操作することにより、蓋部３８を開位置に操作することができるのであり、点検口３７から１番物回収部１７の掃除及びメンテナンス作業を行うことができる。
【００５３】
（燃料タンクの配置に関する構造）
図９及び図１０に示すように、機体１の右部に機体前後方向に配置された機体フレーム４０に対して、機体１の左部の機体フレーム２１が短いものに設定されており、機体フレーム２１の後端部が、機体フレーム４０の後端部よりも機体前側に位置している。
【００５４】
図９及び図１０に示すように、機体１の左右中央部の機体フレーム４１において、機体フレーム４１の後端部と機体フレーム４０の後端部とが、機体前後方向の同じ位置に配置されている。機体フレーム４１の後端部と機体フレーム４０の後端部とに亘って、機体左右方向の機体フレーム４２が連結され、機体フレーム４２にプロテクタ４３が連結されている。機体フレーム２１の後端部と機体フレーム４１とに亘って、機体左右方向の機体フレーム４４が連結されている。
【００５５】
図９及び図１０に示すように、機体フレーム４１の後部における機体フレーム４０，４２側の位置に、燃料タンク４５が支持されている。平面視で長方形状である燃料タンク４５において、平面視で燃料タンク４５の長辺部が機体前後方向となり、燃料タンク４５の短辺部が機体左右方向となるように、燃料タンク４５が配置されており、燃料タンク４５の給油口４５ａが機体後側に向って延出されている。
【００５６】
以上の構造により、図９及び図１０に示すように、排ワラ細断装置２０の下側に配置された機体フレーム４４が、機体フレーム４２よりも機体前側に配置されて、機体フレーム４４の位置に燃料タンク４５が配置されていない。
【００５７】
これにより、排ワラ細断装置２０を図９及び図１０に示す作業位置から機体横外側のメンテナンス位置に移動させて、脱穀装置６の後部を開放することにより、作業者は、機体フレーム４４や燃料タンク４５の影響を受けることなく、脱穀装置６の後部に接近することができるのであり、脱穀装置６の後部からの選別部の取り出し等のメンテナンス作業が容易に行える。
【００５８】
（トラック搭載用のフックの構造）
コンバインをトラック（図示せず）の荷台に載せて運搬する場合等において、このコンバインでは、機体１をトラックの荷台にロープ等により固定する為のフック４６が備えられている。
【００５９】
図９及び図１０に示すように、機体フレーム２１の前部及び後部、機体フレーム４０の前部及び後部の４箇所に、平面視でＵ字状のフック４６が連結されている。
フック４６が、機体フレーム２１の前部及び後部の下面部２１ａに連結されて、機体フレーム２１から機体横外側に突出するように横向きに延出されている。同様にフック４６が、機体フレーム４０の前部及び後部の下面部に連結されて、機体フレーム４０から機体横外側に突出するように横向きに延出されている。
【００６０】
図９及び図１０に示すように、フック４６を機体フレーム２１，４０から横向きに延出することにより、フック４６と走行装置２との間隔が比較的大きなものとなるので、ロープ等のフック４６への取り付けが容易に行えるようになる。
【００６１】
（発明の実施の第１別形態）
図４に示す前側及び後側の下カバー２６，２８に代えて、図１１に示す前側及び後側の下カバー２６，２８を備えてもよい。
【００６２】
図１１に示すように、機体フレーム２１の前部及び後部において、機体フレーム２１の左面部２１ｂに、ステー４７が連結されて機体下方に延出されている。前側及び後側の下カバー２６，２８は、図４に示すような開口部２６ａ，２８ａを備えない平板であり、下側ほど機体内側（走行装置２側）に位置する斜めの姿勢でステー４７に連結されている。
【００６３】
図１１に示すように、開口部２６ａ，８ａを備えず且つ斜めの姿勢の前側及び後側の下カバー２６，２８は、以下の説明のように、トウモロコシ用のコンバインに適している。
トウモロコシを収穫する場合、図１及び図２に示す刈取部４に、トウモロコシの刈取用のアタッチメント（図示せず）を取り付けて、刈取部４をトウモロコシの刈取用に仕様変更するのであり、刈取部４を圃場から少し上昇させて、トウモロコシの稈の上部の実を刈り取る。
【００６４】
前述のようにして、トウモロコシの刈取作業を行うと、刈り取られなかった背の高いトウモロコシの稈が圃場に残る。これにより、圃場に残るトウモロコシの稈が、脱穀装置６の左側部分の下部と横カバー１１，１２の下部との間に、下側から入り込む可能性があるので、このような状態を、図１１に示す前側及び後側の下カバー２６，２８によって適切に防止することができる。
この場合、中間の下カバー２７においても、底部２９に開口部２９ａを備えてないようにしてもよい。
【００６５】
（発明の実施の第２別形態）
図７に示すベータピン形状の抜け止め部材３６に代えて、Ｃワッシャー形状の抜け止め部材３６を使用してもよい。Ｃワッシャー形状の抜け止め部材３６を使用する場合、軸部材３４の取付孔３４ａを廃止して、軸部材３４の端部の外周部に、抜け止め部材３６の取り付け用の溝部を形成すればよい。
【００６６】
図６及び図７において、ボス部材３３を機体フレーム２１の左面部２１ｂに連結し、軸部材３４を中間の下カバー２７に連結してもよい。
この構造によると、ボス部材３３及び軸部材３４の中間部に取付孔（図示せず）を形成すればよい。これにより、中間の下カバー２７を取付位置Ａ１に位置させた状態で、ボス部材３３及び軸部材３４の取付孔に、ベータピン形状の抜け止め部材３６を挿入して取り付けることによって、軸部材３４のボス部材３３からの抜け止めが行われるのであり、中間の下カバー２７が取付位置Ａ１に保持される。
【００６７】
脱穀装置６を機体１の右部に支持してもよい。この構造によると、脱穀装置６の機体外側部分が、脱穀装置６の右側部分となるので、脱穀装置６の右側部分に、横カバー９〜１４、前側、中間及び後側の下カバー２６，２７，２８を備える。
【００６８】
脱穀装置６の機体外側部分の下部に位置する機体フレーム２１，４０に、ボス部材３３又は軸部材３４を連結する場合、脱穀装置６において機体フレーム２１，４０に連結される部分に、ボス部材３３又は軸部材３４を連結してもよい。
この構造によると、脱穀装置６において機体フレーム２１，４０に連結される部分が、機体フレーム２１，４０の一部となる。
【００６９】
前側の下カバー２６及び後側の下カバー２８も、中間の下カバー２７と同様に取付位置Ａ１と取外位置Ａ２とに亘って機体左右方向に移動自在に支持して、着脱自在に構成してもよい。
【産業上の利用可能性】
【００７０】
本発明は、普通型のコンバインばかりではなく、自脱型のコンバインや、さとうきび収穫機、とうもろこし収穫機、飼料収穫機等の収穫機にも適用できる。
【符号の説明】
【００７１】
１          機体
６          脱穀装置
１１，１２  横カバー
１７        回収部
２１        機体フレーム
２７        下カバー
３０ａ      開口部
３３        ボス部材
３４        軸部材
３５        ガイド機構
３６        保持機構、抜け止め部材
３７        点検口
３８        蓋部
３９        固定具
Ａ１        取付位置
Ａ２        取外位置
【図１】
2018082650.tif 000003
【図２】
2018082650.tif 000004
【図３】
2018082650.tif 000005
【図４】
2018082650.tif 000006
【図５】
2018082650.tif 000007
【図６】
2018082650.tif 000008
【図７】
2018082650.tif 000009
【図８】
2018082650.tif 000010
【図９】
2018082650.tif 000011
【図１０】
2018082650.tif 000012
【図１１】
2018082650.tif 000013